【事件の表示】
　平成１１年特許願第２１４３２６号「少なくとも１つのアニオンポリマーと非シリコーン有機モノマーがグラフトしたポリシロキサン骨格を有する少なくとも１つのグラフトシリコーンポリマーを含有するケラチン物質のトリートメント用組成物」拒絶査定不服審判事件〔平成１２年　２月　８日出願公開、特開２０００−　３８３２５〕について、次のとおり審決する。
【結　論】
　本件審判の請求は、成り立たない。
【理　由】
１．手続の経緯
　本願は、平成８年９月１６日に出願した特願平９−５１４００４号の一部を平成１１年７月２８日（パリ条約による優先権主張１９９５年９月２９日、フランス）に新たに特許出願したものであって、平成１６年２月２０日付けで拒絶査定がされ、これに対し、平成１６年５月２４日に審判請求がされるとともに、平成１６年６月２３日付けで手続補正がされたものである。
　
２．平成１６年６月２３日付けの手続補正について
　上記手続補正は、以下の理由により却下する。
[理由]
（１）補正後の本願発明
　本件補正により、特許請求の範囲の請求項１は、「化粧品的に許容可能な媒体に、非シリコーン有機モノマーがグラフトしたポリシロキサン骨格を有する、少なくとも１のグラフトシリコーンポリマーと、少なくとも１のアニオンポリマーとを、０．２５〜１５のアニオンポリマー／グラフトシリコーンポリマーの重量比で含有せしめてなり、前記グラフトシリコーンポリマーが、次の式（I）[構造式省略]
｛上式（I）中、基G１は、同一でも異なっていてもよく、水素またはC１−C１０のアルキル基、もしくはフェニル基を表し；基G２は、同一でも異なっていてもよく、C１−C１０のアルキレン基を表し；G３は、不飽和エチレンを有する少なくとも１のカルボン酸型モノマーの（単独）重合により得られたポリマー基を表し；G４は、イソブチル又はメチル（メタ）アクリル酸型の少なくとも１のモノマーの（単独）重合により得られたポリマー基を表し；ｍおよびｎは、０または１であり；ａは０〜５０の整数であり；ｂは１０〜３５０の整数であり；ｃは０〜５０の整数であり、ここでａおよびｃの一方が０とはならない｝の単位をその構造体中に含有するシリコーンポリマーから選択され、及び
　前記少なくとも１のアニオンポリマーが、
Ａ）アクリル酸／アクリル酸エチル／Ｎ−ｔｅｒｔ−ブチルアクリルアミドのターポリマー；
Ｂ）アクリル酸エチルとメタクリル酸とのコポリマー；
Ｃ）クロトン酸から誘導されたコポリマー；
Ｄ）メチルビニルエーテル／モノエステル化無水マレイン酸のコポリマー；
及び
Ｅ）ポリアクリルアミドエチルプロパンスルホン酸
から選択されることを特徴とする、
毛髪の柔らかさを改善するための化粧品組成物」
と補正された。
　上記補正は、補正前の請求項１におけるＡ）〜Ｅ）のアニオンポリマーを限定するものであって、特許法１７条の２第４項第２号の特許請求の範囲の減縮を目的とするものに該当する。
　そこで、上記補正後の前記特許請求の範囲に記載された事項により特定される発明（以下、「補正発明」という。）が特許出願の際独立して特許を受けることができるものであるか（特許法第１７条の２第５項において準用する同法第１２６条第４項の規定に適合するか）について以下に検討する。
　
（２）引用例の記載事項
[１]特開昭６−９２８２５号公報（以下、「刊行物１」という。）
[1-1]「ポリシロキサン基よりなる構成単位ならびに不飽和単量体の重合体よりなる構成単位が、スルフィド結合を介して結合された、グラフト型共重合体または交互ブロック型共重合体を含有する毛髪化粧料」（請求項１）
　
[1-2]「[構造式省略]（３）・・・一般式（３）で示されるメルカプト基含有化合物の存在下に不飽和単量体をラジカル重合することにより、下記一般式（１）で示されるポリシロキサン基よりなる構成単位に、不飽和単量体の重合体よりなる構成単位がスルフィド結合を介して結合された、グラフト型共重合体を得ることができる。・・・構造式省略（１）・・・上記一般式において、Ｒ１は水素原子、炭素数１〜１０のアルキル基、フェニル基、末端がヒドロキシル基置換されたポリオキシアルキレン基、またはアルキルエーテルもしくは脂肪酸エステル置換されたポリオキシアルキレン基、ポリアルキレンポリアミン基、脂肪酸基、又はポリシロキサン基を表し、Ｒ２は炭素数１〜１０のアルキレン基を表し、ｍ，ｎおよびｐは、ポリシロキサン基に含まれるそれぞれの基の数を示し、次記の整数を表す。但し、ｍ，ｎおよびｐは繰り返し単位を示すものではない。ｍ＝１０〜３５０の整数；ｎ＝１〜５０の整数；ｐ＝０〜５０の整数」（段落【０００７】〜【００１２】）
　
[1-3]「ポリシロキサン基よりなる構成単位／不飽和単量体の重合体よりなる構成単位の重量比が、０．５〜８５／９９．５〜１５の範囲であり、好ましくは１〜７５／９９〜２５の範囲である。」（段落【００１６】）
　
[1-4]「グラフト型共重合体または交互ブロック型共重合体を構成する不飽和単量体は、下記の（ａ）親水性不飽和単量体、および／または（ｂ）疎水性不飽和単量体より選ぶことができるが、これらの単量体は、それぞれ（ａ）または（ｂ）各群内で併用することができる。
（ａ）親水性不飽和単量体は、カチオン性、アニオン性、ノニオン性、両性のラジカル重合性を有する親水性の不飽和単量体であって・・・アニオン性不飽和単量体の具体例を挙げれば、例えば、（メタ）アクリル酸、マレイン酸、・・・等の不飽和カルボン酸単量体・・・
（ｂ）・・・疎水性不飽和単量体の具体例を挙げれば、例えば、メチル（メタ）アクリレート、アリル（メタ）アクリレート、イソブチル（メタ）アクリレート・・・等の疎水性（メタ）アクリル系誘導体・・・親水性不飽和単量体（ａ）の使用量は任意に選択することができるが、・・・全不飽和単量体に対して８０〜０重量％が好ましい。疎水性不飽和単量体（ｂ）の使用量は、・・・任意に選択することができるが、・・・全不飽和単量体に対して０〜７５重量％であり」（段落【００１７】〜【００２３】）
 
[1-5]「前記のようにして得られるポリマーは、毛髪化粧料用ポリマーとして・・・添加使用する・・・添加使用される毛髪化粧料は・・・従来使用されている公知の天然系ポリマー、天然系変性ポリマー、合成系ポリマーと併用使用してよい」（段落【００２５】）
　
[1-6]「[実施例１０]次のヘアスタイリングジェル組成物を調製した。
　　　　　　　　　　　　　　　　　　　％
　カーボポール９４０（注３）　　　　　１
　アミノメチルプロパノール　　　　０．９
　「P−６」　　　　　　　　　　　　　３
　無水エタノール　　　　　　　　　　１５
　純水　　　　　　　　　　　　　　　残部
　　　　　　　　　　　　　　　　　１００％
注３　カーボポール９４０：グッドリッチ社（株）より販売のカルボキシビニルポリマー」
　
[1-7]「本発明は、上記のように構成したので、毛髪のセットおよびコンディショニングにおいて、毛髪に柔軟性、光沢、櫛通り性、まとまり易さ、ボリューム感等を付与し、毛髪の形状保持、損耗の修復等の機能に優れた毛髪化粧料を提供することができる。」（段落【００４６】）
　
[２]特開平８−２１７６４８号公報（以下、「刊行物２」という。）
[2-1]「本発明は、次の成分（A)、（B）及び（C）：（A）重量平均分子量５万以上、融点４０〜１００℃の樹脂、（B）毛髪固定用樹脂、（C）沸点が１００℃を越え、かつ６０℃で液状の水溶性有機化合物、を含有する整髪剤組成物」（請求項１）
　
[2-2]「成分（A）の反応生成物は、重量平均分子量が５万以上、好ましくは１０万〜３０万である。５万未満では、皮膜強度が弱く、セット性に劣る。また、融点は４０〜１００℃、好ましくは５０〜８０℃である。４０℃未満では、べたつき感が残り・・・成分（A）の樹脂は、・・・全組成中に０．１〜２０％配合するのが好ましく、・・・更に０．５〜５％配合すると、良好な熱応答性と感触が得られるので好ましい。」（段落【００２０】及び【００２１】）
　
[2-3]「（B)成分の毛髪固定用樹脂としては、毛髪に付着して皮膜を形成しうるものであれば特に制限されず、両性ポリマー、アニオンポリマー、カチオンポリマー、ノニオンポリマー、天然高分子またはその誘導体、水溶性合成高分子のいずれでも良く・・・アニオンポリマーとしては、例えば・・・メチルビニルエーテル／無水マレイン酸アルキルハーフエステル共重合体・・・酢酸ビニル／クロトン酸共重合体・・・酢酸ビニル／クロトン酸／ネオデカン酸ビニル共重合体・・・酢酸ビニル／クロトン酸／プロピオン酸ビニル共重合体・・・酢酸ビニル／マレイン酸モノブチルエステル／イソボロニルアクリレート共重合体・・・（メタ）アクリル酸／（メタ）アクリル酸エステル共重合体・・・アクリル酸／アクリル酸アルキルエステル／アルキルアクリルアミド共重合体・・・ポリビニルピロリドン／アクリレ−ト／（メタ）アクリル酸共重合体などが挙げられ・・・これらの毛髪固定用樹脂は、・・・全組成中に固形分として０．１〜２０％、特に０．３〜８％配合することが好ましい。」（段落【００２２】、【００２４】及び【００２９】）
　
[2-4]「特定範囲の重量平均分子量と融点を有した樹脂、毛髪固定用樹脂及び特定性状の水溶性有機化合物を組み合わせれば、ヘアスタイルの作り易さと保持力に優れ、ぱさつきや白い粉ふきを抑える整髪剤組成物が得られることを見出し、本発明を完成するに至った。」（段落【０００５】）
　
（３）対比
　刊行物１には、「ポリシロキサン基よりなる構成単位ならびに不飽和単量体の重合体よりなる構成単位が、スルフィド結合を介して結合された、グラフト型共重合体または交互ブロック型共重合体を含有する毛髪化粧料であって（[1-1]）、一般式（３）[構造式省略]で示されるメルカプト基含有化合物の存在下に不飽和単量体をラジカル重合することにより、一般式（１）[構造式省略]で示されるポリシロキサン基よりなる構成単位に、不飽和単量体の重合体よりなる構成単位がスルフィド結合を介して結合されたグラフト型共重合体であり、一般式（１）において、Ｒ１は水素原子、炭素数１〜１０のアルキル基、フェニル基、末端がヒドロキシル基置換されたポリオキシアルキレン基、またはアルキルエーテルもしくは脂肪酸エステル置換されたポリオキシアルキレン基、ポリアルキレンポリアミン基、脂肪酸基、又はポリシロキサン基を表し、Ｒ２は炭素数１〜１０のアルキレン基を表し、ｍ，ｎおよびｐは、ポリシロキサン基に含まれるそれぞれの基の数を示し、ｍ＝１０〜３５０の整数、ｎ＝１〜５０の整数、ｐ＝０〜５０の整数、但し、ｍ，ｎおよびｐは繰り返し単位を示すものではなく（[1-2]）、
　該不飽和単量体の重合体よりなる構成単位が、（ａ）親水性不飽和単量体、および／または（ｂ）疎水性不飽和単量体より選ぶことができ、これらの単量体は、それぞれ（ａ）または（ｂ）各群内で併用することができるもので、（ａ）親水性不飽和単量体は、カチオン性、アニオン性、ノニオン性、両性のラジカル重合性を有する親水性の不飽和単量体であって、アニオン性不飽和単量体として、（メタ）アクリル酸、マレイン酸等の不飽和カルボン酸単量体等、（ｂ）疎水性不飽和単量体として、メチル（メタ）アクリレート、アリル（メタ）アクリレート、イソブチル（メタ）アクリレート等の疎水性（メタ）アクリル系誘導体等で、親水性不飽和単量体（ａ）及び疎水性不飽和単量体（ｂ）の使用量は任意に選択することができるが、全不飽和単量体に対して、各々０〜８０、０〜７５重量％で（[1-4]）、
　ポリシロキサン基よりなる構成単位／不飽和単量体の重合体よりなる構成単位の重量比が、０．５〜８５／９９．５〜１５の範囲（[1-3]）であるもの。」（以下、「刊行物１発明」という。）が記載されている。
　
　そこで、補正発明と刊行物１発明とを対比するところ、刊行物１発明の毛髪化粧料は、同刊行物の実施例１〜１２の内容から明らかなとおり、補正発明の「化粧品に許容可能な媒体」に相当する「純水又は無水エタノール」を使用し、その効果は、毛髪に柔軟性を付与する（[1-7]）ものであるから、両者は、ともに、化粧品に許容可能な媒体に、少なくとも１のグラフトシリコーンポリマーを含有せしめてなる、毛髪の柔らかさを改善するための化粧品組成物である点で一致する。
　次に、刊行物１発明の「一般式（１）[構造式省略]で示されるポリシロキサン基よりなる構成単位に、不飽和単量体の重合体よりなる構成単位がスルフィド結合を介して結合されたグラフト型共重合体」（以下、「刊行物１グラフト」ということもある。）と補正発明の「グラフトシリコーンポリマー」（以下、「補正グラフト」ということもある。）を対比する。
　刊行物１グラフトにおけるＲ１（水素原子、炭素数１〜１０のアルキル基、フェニル基を表す場合）は補正グラフトのＧ１（水素、Ｃ１−Ｃ１０のアルキル基、フェニル基）に、刊行物１グラフトにおけるＲ２（炭素数１〜１０のアルキレン基を表す場合）は補正グラフトのＧ２（Ｃ１−Ｃ１０のアルキレン基）に相当する。また、刊行物１グラフトの「不飽和単量体の重合体よりなる構成単位が、（ａ）親水性不飽和単量体、および／または（ｂ）疎水性不飽和単量体」であるものは、補正グラフトの「G３は、不飽和エチレンを有する少なくとも１のカルボン酸型モノマーの（単独）重合により得られたポリマー基を表し；G４は、イソブチル又はメチル（メタ）アクリル酸型の少なくとも１のモノマーの（単独）重合により得られたポリマー基」に相当する。さらに、刊行物１グラフトの「ｍ＝１０〜３５０の整数、ｎ＝１〜５０の整数、ｍ，ｎは繰り返し単位を示すものではなく」は、補正グラフトの「ｂは１０〜３５０の整数であり；ａは０〜５０の整数であり；ｃは０〜５０の整数であり、ここでａおよびｃの一方が０とはならない」に相当しており、両者は、ポリシロキサンを主鎖とし、重合体がスルフィド結合を介して結合されたグラフト重合体であって、共通の「主鎖への置換基」及びその数、並びに共通の「スルフィド結合を介して結合している重合体」及びその数を有しているので、刊行物１発明の「グラフト型共重合体」は、補正発明の「グラフトシリコーンポリマー」に相当する。
　以上のとおりであるから、結局、両者は、「化粧品に許容可能な媒体に、非シリコーン有機モノマーがグラフトしたポリシロキサン骨格を有する、少なくとも１のグラフトシリコーンポリマーを含有せしめてなり、
　前記グラフトシリコーンポリマーが、次の式（I）
　[構造式省略]
｛上式（I）中、基G１は、同一でも異なっていてもよく、水素またはC１−C１０のアルキル基、もしくはフェニル基を表し；基G２は、同一でも異なっていてもよく、C１−C１０のアルキレン基を表し；G３は、不飽和エチレンを有する少なくとも１のカルボン酸型モノマーの（単独）重合により得られたポリマー基を表し；G４は、イソブチル又はメチル（メタ）アクリル酸型の少なくとも１のモノマーの（単独）重合により得られたポリマー基を表し；ｍおよびｎは、０または１であり；ａは０〜５０の整数であり；ｂは１０〜３５０の整数であり；ｃは０〜５０の整数であり、ここでａおよびｃの一方が０とはならない｝の単位をその構造体中に含有するシリコーンポリマーから選択されることを特徴とする、毛髪の柔らかさを改善するための化粧品組成物」である点で一致し、
　前者が、i）化粧品組成物の構成成分として、更に、Ａ）アクリル酸／アクリル酸エチル／Ｎ−ｔｅｒｔ−ブチルアクリルアミドノターポリマー；Ｂ）アクリル酸エチルとメタクリル酸とのコポリマー；Ｃ）クロトン酸から誘導されたコポリマー；Ｄ）メチルビニルエーテル／モノエステル化無水マレイン酸のコポリマー；及びＥ）ポリアクリルアミドエチルプロパンスルホン酸から選択されるアニオンポリマーを、ii）０．２５〜１５のアニオンポリマー／グラフトシリコーンポリマーの重量比で、併用しているのに対して、後者は、該アニオンポリマーを該重量比で併用することは、明記されていない点で相違する。
　
（４）判断
　上記相違点について検討する。
　刊行物１には、刊行物１発明に係るグラフト型共重合体が、従来使用されている公知の天然系ポリマー、天然系変性ポリマー、合成系ポリマーと併用使用してよいことが記載されており（[1-5]）、具体例として、アニオンポリマー（カーボポール９４０：グッドリッチ社（株）より販売のカルボキシビニルポリマー）と併用使用した毛髪化粧料が示されている（[1-6]）から、併用使用してもよいポリマーとしては、アニオンポリマーが包含されることは明らかである。
　刊行物１には、補正発明における特定のアニオンポリマーの例示はされていないが、補正発明におけるアニオンポリマーは、刊行物２に記載されるとおり（[2-3]）、毛髪化粧料への配合ポリマーとして既によく知られている。そうすると、刊行物１に、グラフト型共重合体と併用使用してもよいと記載された“従来使用されている公知の天然系ポリマー、天然系変性ポリマー、合成系ポリマー”として、刊行物２に記載されたアニオンポリマーを選択し、毛髪の柔らかさを改善するための化粧品組成物とすることは当業者であれば容易になし得ることである。
　また、グラフトシリコーンポリマーとアニオンポリマーとの重量比を０．２５〜１５とする点については、刊行物１におけるグラフト型共重合体と併用ポリマーの重量比（実施例１０）と特に相違しないし、複数の樹脂を組み合わせて使用するに際して適宜決定しうる事項でもあることから、当該重量比を設定することに、格別の困難があったとは認められない。
　出願人は、平成１６年１月２９日付けの意見書に記載の比較実験の結果から、補正発明が優れた効果を有していると主張しているが、複数の樹脂を組み合わせてより優れた毛髪用化粧品組成物とすることは刊行物２にも記載（[2-1]〜[2-4])されているとおり普通に行われていることで、また組み合わされる樹脂によって多少の効果上の差が生じるのは当然のことであるところ、比較実験の結果が予想外の顕著な効果を奏しているものとも認められないので、出願人の主張は採用できない。
　したがって、補正発明は、刊行物１及び刊行物２に記載された発明に基づいて、当業者が容易に発明することができたものであるから、特許法第２９条第２項の規定により特許出願の際独立して特許を受けることができない。
　
（５）以上のとおり、本件補正は、特許法第１７条の２第５項で準用する同法第１２６条第４項の規定に違反するから、特許法第１５９条第１項で準用する特許法第５３条第１項の規定により却下されるべきものである。
　
３．平成１６年５月２４日付けの手続補正は上記のとおり却下されたので、本願の請求項１に係る発明（以下、「本願発明」という。）は、平成１６年１月２９日付け手続補正書の特許請求の範囲の請求項１に記載された事項により特定される、以下のとおりのものである。
　
「化粧品的に許容可能な媒体に、非シリコーン有機モノマーがグラフトしたポリシロキサン骨格を有する、少なくとも１のグラフトシリコーンポリマーと、少なくとも１のアニオンポリマーとを、０．２５〜１５のアニオンポリマー／グラフトシリコーンポリマーの重量比で含有せしめてなり、
　前記グラフトシリコーンポリマーが、次の式（I）
　[構造式省略]
｛上式（I）中、基G１は、同一でも異なっていてもよく、水素またはC１−C１０のアルキル基、もしくはフェニル基を表し；基G２は、同一でも異なっていてもよく、C１−C１０のアルキレン基を表し；G３は、不飽和エチレンを有する少なくとも１のカルボン酸型モノマーの（単独）重合により得られたポリマー基を表し；G４は、イソブチル又はメチル（メタ）アクリル酸型の少なくとも１のモノマーの（単独）重合により得られたポリマー基を表し；ｍおよびｎは、０または１であり；ａは０〜５０の整数であり；ｂは１０〜３５０の整数であり；ｃは０〜５０の整数であり、ここでａおよびｃの一方が０とはならない｝
の単位をその構造体中に含有するシリコーンポリマーから選択され、及び
　前記少なくとも１のアニオンポリマーが、Ａ）アクリル酸またはメタクリル酸もしくはそれらの塩のコポリマー；アクリルアミドとアクリル酸もしくはそれらの塩のコポリマー；ポリヒドロキシカルボン酸のナトリウム塩；
Ｂ）架橋していてもよく、ポリアルキレングリコールにグラフトされていてもよい、アクリル酸またはメタクリル酸エステルモノエチレンモノマーと、アクリル酸またはメタクリル酸のコポリマー；Ｎ−アルキル化および／またはヒドロキシアルキル化アクリルアミド単位を任意にその鎖中に含有する種のコポリマー；アクリル酸とＣ１−Ｃ４のメタクリル酸アルキルとのコポリマー；Ｃ）架橋またはグラフトしていてもよいクロトン酸から誘導されたコポリマー；Ｄ）マレイン酸、フマル酸又はイタコン酸又は無水物と、ビニルエステル、ビニルエーテル、ビニルハライド、フェニルビニル誘導体、及びアクリル酸とそのエステルから誘導されたポリマー；マレイン酸、シトラコン酸又はイタコン酸無水物と、その鎖中にアクリルアミド又はメタクリルアミド基、α−オレフィン、アクリル酸又はメタクリル酸エステル、アクリル酸又はメタクリル酸又はビニルピロリドンを任意に含むアリル又はメタリルエステルとのコポリマー、ここで該無水物官能基はモノエステル化又はモノアミド化される；及びＥ）カルボキシラート基を含有するポリアクリルアミドから選択されることを特徴とする、毛髪の柔らかさを改善するための化粧品組成物」
　
（１）引用例
　原査定の拒絶の理由に引用された引用例及びその記載事項は、前記「２．
（２）」に記載したとおりである。
　
（２）対比・判断
　前記２．で検討した補正発明は、本願発明における「アニオンポリマー」を限定するものであるから、本願発明は補正発明を包含する。
　前記２．（１）〜（４）に記載したとおり、補正発明が、刊行物１及び刊行物２に基づいて当業者が容易に発明をすることができたものであるから、本願発明も、同様の理由により、その出願前に頒布された刊行物１及び刊行物２に記載された発明に基づいて、当業者が容易に発明をすることができたものであって、特許法第２９条第２項の規定により特許を受けることができない。
　よって、結論のとおり審決する。